(57)【要約】【課題】論理セルグループのセル設定を容易に変更可能な表計算装置及びプログラムを提供する。【解決手段】操作部１５によって指定された論理セルグループのセル範囲をセル設定対象管理データとしてＲＡＭ１３又は記憶部１４に記憶し、論理セルグループのセル設定を変更する際に、ＲＡＭ１３又は記憶部１４に記憶されたセル設定対象管理データを論理セルグループ設定ダイアログに表示され、当該表示内容に基づいてセル設定の変更対象のセル範囲を指定する。【選択図】図１
2009093211.tif 000002
【特許請求の範囲】
【請求項１】
操作手段を備える表計算装置において、
セル設定変更対象として前記操作手段により指定された論理セルグループのセル範囲情報を記憶する記憶手段と、
前記記憶手段に記憶された論理セルグループのセル範囲情報を一覧表示する表示手段と、
前記表示手段により一覧表示されたセル範囲情報から前記操作手段によって選択されたセル範囲のセル設定を前記操作手段により指定されたセル設定に変更する変更手段と
を備えたことを特徴とする表計算装置。
【請求項２】
前記記憶手段は、前記変更手段によりセル設定が変更された論理セルグループのセル範囲情報を記憶すること
を特徴とする請求項１に記載の表計算装置。
【請求項３】
前記記憶手段は、前記変更手段によりセル設定が変更された論理セルグループのセル範囲情報を当該変更の変更日時情報及び変更内容情報と対応付けて記憶し、
前記表示手段は、前記記憶手段に記憶されたセル範囲情報を当該セル範囲情報に対応付けられた変更日時情報及び変更内容情報と共に表示し、
前記変更手段は、前記操作手段により選択されたセル範囲情報及び当該セル範囲情報に対応付けられた変更内容情報に応じてセルの設定を変更すること
を特徴とする請求項２に記載の表計算装置。
【請求項４】
前記表示手段は、前記記憶手段に記憶されたセル範囲情報のうち、前記操作手段により現在選択されているセルを含む論理セルグループについてのセル範囲情報を一覧表示すること
を特徴とする請求項１から請求項３のうちいずれか一項に記載の表計算装置。
【請求項５】
操作手段を備える表計算装置のコンピュータを
セル設定変更対象として前記操作手段により指定された論理セルグループのセル範囲情報を記憶する記憶手段、
前記記憶手段に記憶された論理セルグループのセル範囲情報を一覧表示する表示手段、
前記表示手段により一覧表示されたセル範囲情報から前記操作手段によって選択されたセル範囲のセル設定を前記操作手段により指定されたセル設定に変更する変更手段
として機能させるためのプログラム。
【発明の詳細な説明】
【技術分野】
【０００１】
本発明は、セルの書式やセルに対するセキュリティ等の設定（以下、「セル設定」という。）を変更可能な表計算装置及びプログラムに関する。
【背景技術】
【０００２】
数値データの集計や分析に用いられる表計算ソフトウェアが普及している。表計算ソフトウェアは、表の縦横に並んだマス目（セル）に数値や計算ルールを入力すると、表計算ソフトが自動的に数式を分析し、所定の位置に計算結果を代入する。また、セルへの文章入力や、セル、行、又は列の単位で書式やセキュリティ等のセル設定を変更することも可能である。なお、このセルが並んだ表をスプレッドシートと呼ぶ。
【０００３】
例えば、特許文献１には、スプレッドシートとワードプロセッシングの表を統合するシステムにおいて、セルの設定を変更する際に複数のセルを選択して設定変更を行う技術が開示されている。
【特許文献１】特開２００３−５３６１６４号公報
【発明の開示】
【発明が解決しようとする課題】
【０００４】
しかしながら、上記従来技術では、行や列の単位ではなく、論理的な意味を持つ単位としてユーザの意思等によりグループ化され、操作部の操作によって指定された複数のセル（以下、「論理セルグループ」という。）のセル設定を変更する場合は、当該変更の度にユーザは当該論理セルグループを構成する複数のセルを一つずつ選択する必要があり、手間が掛かっていた。
【０００５】
本発明の課題は、論理セルグループのセル設定を容易に変更可能な表計算装置及びプログラムを提供することである。
【課題を解決するための手段】
【０００６】
請求項１に記載の発明は、操作手段を備える表計算装置において、
セル設定変更対象として前記操作手段により指定された論理セルグループのセル範囲情報を記憶する記憶手段と、
前記記憶手段に記憶された論理セルグループのセル範囲情報を一覧表示する表示手段と、
前記表示手段により一覧表示されたセル範囲情報から前記操作手段によって選択されたセル範囲のセル設定を前記操作手段により指定されたセル設定に変更する変更手段と
を備えたことを特徴とする。
【０００７】
請求項２に記載の発明は、請求項１に記載の表計算装置において、
前記記憶手段は、前記変更手段によりセル設定が変更された論理セルグループのセル範囲情報を記憶すること
を特徴とする。
【０００８】
請求項３に記載の発明は、請求項２に記載の表計算装置
前記記憶手段は、前記変更手段によりセル設定が変更された論理セルグループのセル範囲情報を当該変更の変更日時情報及び変更内容情報と対応付けて記憶し、
前記表示手段は、前記記憶手段に記憶されたセル範囲情報を当該セル範囲情報に対応付けられた変更日時情報及び変更内容情報と共に表示し、
前記変更手段は、前記操作手段により選択されたセル範囲情報及び当該セル範囲情報に対応付けられた変更内容情報に応じてセルの設定を変更すること
を特徴とする。
【０００９】
請求項４に記載の発明は、請求項１から請求項３のうちいずれか一項に記載の表計算装置において、
前記表示手段は、前記記憶手段に記憶されたセル範囲情報のうち、前記操作手段により現在選択されているセルを含む論理セルグループについてのセル範囲情報を一覧表示すること
を特徴とする。
【００１０】
請求項５に記載の発明は、プログラムにおいて、
操作手段を備える表計算装置のコンピュータを
セル設定変更対象として前記操作手段により指定された論理セルグループのセル範囲情報を記憶する記憶手段、
前記記憶手段に記憶された論理セルグループのセル範囲情報を一覧表示する表示手段、
前記表示手段により一覧表示されたセル範囲情報から前記操作手段によって選択されたセル範囲のセル設定を前記操作手段により指定されたセル設定に変更する変更手段
として機能させることを特徴とする。
【発明の効果】
【００１１】
本発明によれば、論理セルグループのセル設定を容易に変更可能な表計算装置及びプログラムを提供することができる。
【発明を実施するための最良の形態】
【００１２】
以下、図面を参照して、本発明の好適な一実施形態を説明する。ただし、発明の範囲は本実施形態に限定されない。
【００１３】
［構成］
まず、構成について説明する。
図１に表計算装置の構成の一例を示す。表計算装置１０は、数値データの集計や分析に用いられる表計算ソフトウェアを実行するコンピュータである。
【００１４】
表計算装置１０は、ＣＰＵ（Central Processing Unit）１１、ＲＯＭ（Read Only Memory）１２、ＲＡＭ（Random Access Memory）１３、記憶部１４、操作部１５、表示部１６を備えて構成される。
【００１５】
ＣＰＵ１１は、ＲＯＭ１２や記憶部１４等からＲＡＭ１３等のメモリに展開された制御プログラム等に従って各種演算処理を行い、表計算装置１０の各部の動作を集中制御するプロセッサである。
【００１６】
ＲＯＭ１２は、各種制御プログラム等のデータが記憶されたメモリである。
ＲＡＭ１３は、ＣＰＵ１１が各種演算処理を行うためのワーク用のメモリであり、ＲＯＭ１２や記憶部１４等に記憶されたプログラム等のデータが展開される。
【００１７】
記憶部１４は、ＨＤＤ（Hard Disk Drive）等が用いられた大容量の記憶装置である。記憶部１４は、後述する制御フロー等を処理する表計算ソフトウェアプログラム等のプログラム、表示部１６に表示する画面データ、その他各種処理に必要なデータを格納するデータファイル等を記憶する。
【００１８】
操作部１５は、マウスやキーボード等が用いられる。操作部１５は、操作に応じた信号をＣＰＵ１１へ出力する。
【００１９】
表示部１６としては、液晶モニター等が用いられる。表示部１６は、ＣＰＵ１１の制御による表計算ソフトウェアの実行結果として、スプレッドシート及び当該シート上に各種実行結果等を表示し、その他ＣＰＵ１１による各種演算結果を表示する。
【００２０】
［動作］
次に、動作について説明する。
図２を参照して、書式設定やセキュリティ設定等のセル設定が変更される際の処理の制御フローを説明する。当該処理の実行及び制御は、ＲＯＭ１２や記憶部１４等から読み込まれ、ＲＡＭ１３に展開されたプログラムに基づいてＣＰＵ１１が行う。
【００２１】
まず、ユーザによる操作部１５の操作によってスプレッドシート上のセル、行、又は列が選択される（ステップＳ１）。
【００２２】
次いで、表示部１６に表示された設定メニューから操作部１５を介して行又は列の設定変更指示を受けた場合（ステップＳ２；行、ステップＳ２；列）、ステップＳ１にて選択された設定変更対象であるセル範囲の種別（セル、行、又は列）と、当該設定変更指示の種別（行又は列）が同一であるか否かがチェックされる（ステップＳ３）。
【００２３】
図３に、表示部１６に表示された設定メニュー画面の例を示す。操作画面１１０に表示されたメニューバー１１１の「書式」を操作部１５の操作により選択すると、設定メニューのリスト１１２が表示される。ユーザは、操作部１５の操作によりリスト１１２に表示された「セル」、「行」、「列」、又は「論理」のいずれかを選択することで設定変更対象のセル範囲の種別を選択することができる。
【００２４】
次いで、ステップＳ３のチェックで種別が同一ではないと判断された場合（ステップＳ４；Ｎｏ）、ステップＳ１に進む。
【００２５】
また、種別が同一であると判断された場合（ステップＳ４；Ｙｅｓ）、選択されているセル領域のセルの書式やセキュリティ等のセル設定情報がＲＡＭ１３や記憶部１４等から取得され（ステップＳ５）、当該取得された情報がセル設定のためのセル設定ダイアログに設定され（ステップＳ６）、当該ダイアログが表示部１６に表示される（ステップＳ７）。
【００２６】
次いで、セル設定ダイアログから操作部１５を介してセル設定が指定され（ステップＳ８）、スプレッドシート上で現在選択されているセル領域のセル設定が当該指定されたセル設定に変更され（ステップＳ９）、当該選択されているセル領域の範囲の情報が前述のセル設定対象管理データとして登録され、ＲＡＭ１３又は記憶部１４に記憶され（ステップＳ１０）、この処理は終了する。
【００２７】
図４に、スプレッドシートの例を示す。スプレッドシートの元になるデータは、記憶部１４に記憶されている。スプレッドシートは、ＣＰＵ１１の制御により記憶部１４から当該データが読み出されてＲＡＭ１３に展開され、表示部１６に表示される。以降に説明するスプレッドシートも同様である。図４に示すスプレッドシートには、Ｂ２からＤ４の範囲のセル領域に数値データが入力されている。また、当該スプレッドシートは、セル設定がまだ変更されておらず、セル設定対象管理データはまだ登録されていない。
【００２８】
図５に、セル設定対象管理データのデータ構造の一例を示す。セル設定対象管理データ５０は、データ項目として、設定対象数５１及び設定対象セル情報群５２を有する。
【００２９】
設定対象セル情報群５２は、セル範囲の情報である設定対象セル情報を有する。設定対象セル情報群５２には、１グループの論理セルグループに対して１データが設定対象セル情報として登録される。また、設定対象セル情報は、一又は複数のセル範囲情報によって構成される。範囲情報は、セルの指定、列の指定、行の指定等によって示される。
設定対象数５１は、設定対象セル情報群５２を構成する設定対象セル情報の数が登録される。
【００３０】
セル設定対象管理データ５０に登録されたデータは、記憶部１４に記憶されている。当該登録されたデータは、ＣＰＵ１１の制御により記憶部１４から読み出されてＲＡＭ１３に展開される。以降に説明するセル設定対象管理データに登録されたデータも同様である。
【００３１】
図６に、セル設定がまだ変更されておらず、セル設定対象管理データがまだ登録されていない場合におけるセル対象管理データの例を示す。セル対象管理データ６０はまだデータが登録されていないため、設定対象数６１には“０”が設定されており、また設定対象セル情報群６２にデータは登録されていない。
【００３２】
図７に、例えば、図２のステップＳ１にて操作部１５の操作により図４のスプレッドシートのＢ２からＤ４の範囲のセルが選択され、ステップＳ９にて当該選択されたセルの書式が「カンマ区切り」に変更された場合の例を示す。当該書式の変更によって、スプレッドシートのＢ２からＤ４の範囲のセル領域に入力されているデータがカンマ区切りで表示されている。また、当該書式設定（セル設定）が変更されたＢ２からＤ４のセル範囲は、ユーザの意思により何かしらの論理的な意味を持ってグループ化された範囲であるため、論理セルグループの１グループを構成する。
【００３３】
図８に、図２のステップＳ９にて図７に示すようなセル設定の変更が行われた場合に、ステップＳ１０にて登録されるセル設定対象管理データの例を示す。ステップＳ９にて、１グループの論理セルグループに対してセル設定が変更されたため、セル設定対象管理データ８０の設定対象数８１には“１”が設定されている。また、Ｂ２からＤ４の範囲のセル設定が変更されたため、設定対象セル情報群８２にはセル範囲情報として“Ｂ２：Ｄ４”が設定されている。
【００３４】
図９に、図２のステップＳ９にて図７のスプレッドシートのＢ２からＤ２及びＣ４からＤ４の範囲のセルの書式が「数値書式（負数表示形式）」に変更された場合のスプレッドシートの例を示す。当該書式の変更によって、スプレッドシートのＢ２からＤ２及びＣ４からＤ４の範囲のセル領域に入力されているデータが負数表示形式（負数のデータに記号を付する形式）で表示されている。また、Ｂ２からＤ２及びＣ４からＤ４の範囲のセルが論理セルグループの１グループを構成する。
【００３５】
図１０に、図２のステップＳ９にて図９に示すようなセル設定の変更が行われた場合に、ステップＳ１０にて登録されるセル設定対象管理データの例を示す。ステップＳ９にて新たに１グループの論理セルグループに対してセル設定が変更されたため、設定対象セル情報群１０２には、図８の設定対象セル情報群８２のデータに加え、新たに“Ｂ２：Ｃ２，Ｃ４：Ｄ４”が登録されている。また、設定対象セル情報群１０２には２つのデータが登録されているため、設定対象数１０１には“２”が設定されている。
【００３６】
また、図２のステップＳ２にて、セルの設定変更指示を受けた場合、すなわち、表示部１６に表示された図３の設定メニューリスト１１２から操作部１５によって“セル”が選択された場合（ステップＳ２；セル）、ステップＳ５へ進む。
【００３７】
また、ステップＳ２にて、論理セルグループのセル設定の変更指示を受けた場合、すなわち、表示部１６に表示された図３の設定メニューリスト１１２から操作部１５によって“論理”が選択された場合（ステップＳ２；論理）、登録されているセル設定対象管理データがＲＡＭ１３又は記憶部１４から取得され（ステップＳ１１）、当該セル設定対象管理データが論理セルグループ設定ダイアログに設定され（ステップＳ１２）、当該論理セルグループ設定ダイアログが表示部１６に表示される（ステップＳ１３）。なお、論理セルグループ設定ダイアログとは、論理セルグループ単位でセル設定を変更等するためのダイアログである。
【００３８】
図１１に、論理セルグループ設定ダイアログの例を示す。論理セルグループ設定ダイアログの元になるデータは、記憶部１４に記憶されている。論理セルグループ設定ダイアログは、ＣＰＵ１１の制御により記憶部１４から当該データが読み出されてＲＡＭ１３に展開され、表示部１６に表示される。論理セルグループ設定ダイアログ１２０の領域１２１には、図１０の設定対象セル情報群１０２に登録された設定対象セル情報（セル範囲情報）が記憶部１４又はＲＡＭ１３から読み込まれ、表示されている。
【００３９】
図２のステップＳ１３に次いで、操作部１５によってステップＳ１３にて表示された図１１の論理セルグループ設定ダイアログ１２０の書式設定ボタン１２２が押下された場合（ステップＳ１４；書式設定）、書式設定ダイアログが表示され、論理セルグループ設定ダイアログ１２０の領域１２１に表示されているセル設定対象管理データのうち、選択されているセル設定対象管理データに対応するスプレッドシート上のセル領域が選択され（ステップＳ１５）、ステップＳ５へ進む。
【００４０】
図１２に、論理セルグループ設定ダイアログ１２０の領域１２１に表示されたセル領域である“Ｂ２：Ｄ４”が操作部１５によって選択され、ステップＳ１４にて書式設定ボタン１２２が押下された場合に、ステップＳ１５にて表示部１６に表示されるスプレッドシートの例を示す。操作部１５によって“Ｂ２：Ｄ４”が選択されたため、スプレッドシート上のＢ２からＤ４のセル範囲が選択されている（選択されたセル範囲が網掛けになって表示されている）。既にセル範囲が選択されているため、ステップＳ１５にて表示される書式設定ダイアログにて変更後の書式の設定を操作部１５によって行うことで、セル設定を変更することができる。
【００４１】
図１３に、図１２のスプレッドシート上の選択されたセル範囲のセルの書式設定が「金額書式（￥）」に変更された場合の例を示す。当該書式設定の変更によって、スプレッドシート上のＢ２からＤ４のセル範囲のセル領域に入力されているデータが金額書式で表示されている（￥マークが表示されている）。
【００４２】
また、図２のステップＳ１４にて、操作部１５によって論理セルグループ設定ダイアログ１２０の領域１２１にセル領域の範囲が入力され、対象追加ボタン１２４が押下された場合（ステップＳ１４；対象追加）、当該入力されたセル領域の範囲がセル設定対象管理データとして登録され、ＲＡＭ１３又は記憶部１４に記憶され（ステップＳ１７、ステップＳ１８）、この処理は終了する。
【００４３】
また、ステップＳ１４にて、操作部１５によって論理セルグループ設定ダイアログ１２０の領域１２１に表示されたセル領域が選択され、対象削除ボタン１２５が押下された場合（ステップＳ１４；対象削除）、当該選択されたセル領域のセル設定対象管理データがＲＡＭ１３又は記憶部１４から削除され（ステップＳ１８）、この処理は終了する。
【００４４】
また、ステップＳ１４にて、操作部１５によって論理セルグループ設定ダイアログ１２０のキャンセルボタン１２３が押下された場合（ステップＳ１４；キャンセル）、論理セルグループ設定ダイアログ１２０の表示が削除され、ステップＳ１へ進む。
【００４５】
以上のように、本実施の形態によれば、操作部１５の操作によるセル範囲の指定に応じて論理セルグループのセル範囲がセル設定対象管理データとしてＲＡＭ１３又は記憶部１４に記憶される。そして、その後論理セルグループのセル設定を変更する際に、セル設定対象管理データとしてＲＡＭ１３又は記憶部１４に記憶されたセル範囲が論理セルグループ設定ダイアログ１２０の領域１２１に表示され、操作部１５の操作によって領域１２１に表示された当該セル範囲が選択されることでセル設定の変更対象のセル範囲を指定することができる。そのため、ユーザは論理セルグループを構成する複数のセルを一つずつ選択する必要がなく、容易に論理セルグループの設定を変更することができる。
【００４６】
また、図９に示すような不連続の（隣合せに配置していない）セルを含むセル範囲がセル設定対象管理データとしてＲＡＭ１３又は記憶部１４に記憶され、当該セル設定対象管理データに基づいて設定の変更対象の論理セルグループが指定される場合は、当該論理セルグループを構成する複数のセルを一つずつ選択する場合と比べ、セル設定が格段に容易となる。
【００４７】
［変形例］
本実施の形態によれば、セル設定対象管理データのデータ項目である設定対象セル情報群は、セル範囲の情報のみを有することとしたが、この形式に限定されず、変形例として、設定対象セル情報群はセル設定の変更日時や変更内容の情報を有することとしても良い。
【００４８】
図１４に、当該変形例の場合のセル設定対象管理データのデータ構成の例を示す。セル設定対象管理データ１５０は、データ項目として設定対象数１５１及び設定対象セル情報群１５２を備える。そして、設定対象セル情報群１５２は、図５に示すデータに加えて、「設定対象セル情報」毎に「変更日時」及び「変更内容」のデータを有する。
【００４９】
セル設定対象管理データ１５０をこのようなデータ構成とすることで、過去にセル設定の変更がされた論理セルグループのセル範囲及びセル設定の変更内容を履歴として登録することがでるため、論理セルグループのセル設定を変更する際に、当該履歴を選択してセル設定を変更することができ、容易に論理セルグループのセル設定変更をすることができる。
【００５０】
また、本実施の形態によれば、図１１に示す論理セルグループ設定ダイアログの領域１２１には、図１０の設定対象セル情報群１０２に登録されている設定対象セル情報が全て表示されることとしたが、この形式に限定されない。変形例として、設定対象セル情報として登録されているデータのうち、操作部１５の操作によって現在選択されているスプレッドシート上のセル範囲を含む設定対象セル情報のみ領域１２１に表示させることとしても良い。
【００５１】
当該変形例によれば、設定対象セル情報群に膨大な量の設定対象セル情報が登録されている場合であっても、容易に論理セルグループのセル範囲を選択し、セル設定をすることができる。
【００５２】
［効果］
以上のように、本実施の形態によれば、操作部１５の操作によるセル範囲の指定に応じてセル設定対象管理データの設定対象セル情報群がＲＡＭ１３又は記憶部１４に記憶され、当該設定対象セル情報群が論理セルグループのセル範囲情報として論理セルグループ設定ダイアログ１２０の領域１２１に一覧表示され、当該表示されたセル範囲情報の一覧からセル範囲が操作部１５によって選択され、当該選択されたセル範囲のセル設定がＣＰＵ１１の制御によって変更されることによって、論理セルグループのセル設定を容易に変更することができる。
【００５３】
また、セル設定対象管理データをセル設定対象管理データ１５０のようなデータ構成とすることで、過去にセル設定の変更がされた論理セルグループのセル範囲及び設定変更内容を履歴として登録することがでるため、論理セルグループのセル設定を変更する際に、当該履歴を選択してセル設定を変更することができるため、容易に論理セルグループのセル設定をすることができる。
【００５４】
また、設定対象セル情報として登録されているデータのうち、操作部１５の操作によって現在選択されているスプレッドシート上のセル範囲を含む設定対象セル情報のみ領域１２１に表示させることで、設定対象セル情報群に膨大な量の設定対象セル情報が登録されている場合であっても、容易に論理セルグループのセル範囲を選択し、セル設定をすることができる。
【００５５】
また、図９に示すような不連続の（隣合せに配置していない）セルを含むセル範囲がセル設定対象管理データとしてＲＡＭ１３又は記憶部１４に記憶され、当該セル設定対象管理データに基づいて設定の変更対象の論理セルグループのセル範囲が指定される場合は、当該論理セルグループのセル範囲を構成する複数のセルを一つずつ選択する場合と比べ、セル設定が格段に容易となる。
【図面の簡単な説明】
【００５６】
【図１】表計算装置の構成の一例を示すブロック図である。
【図２】セル設定が変更される際のＣＰＵによる制御フローの一例を示すフローチャートである。
【図３】論理セルグループ設定ダイアログを表示させるための操作画面の一例である。
【図４】表示部に表示されたスプレッドシートのイメージ図である。
【図５】セル設定対象管理データのデータ構成の一例を示す図である。
【図６】セル設定対象管理データとして設定されたデータの一例を示す図である。
【図７】表示部に表示されたスプレッドシートのイメージ図である。
【図８】セル設定対象管理データとして設定されたデータの一例を示す図である。
【図９】表示部に表示されたスプレッドシートのイメージ図である。
【図１０】セル設定対象管理データとして設定されたデータの一例を示す図である。
【図１１】論理セルグループ設定ダイアログの一例である。
【図１２】表示部に表示されたスプレッドシートのイメージ図である。
【図１３】表示部に表示されたスプレッドシートのイメージ図である。
【図１４】セル設定対象管理データとして設定されたデータの一例を示す図である。
【符号の説明】
【００５７】
１０  表計算装置
１１  ＣＰＵ
１２  ＲＯＭ
１３  ＲＡＭ
１４  記憶部
１５  操作部
１６  表示部
【図１】
2009093211.tif 000003
【図２】
2009093211.tif 000004
【図３】
2009093211.tif 000005
【図４】
2009093211.tif 000006
【図５】
2009093211.tif 000007
【図６】
2009093211.tif 000008
【図７】
2009093211.tif 000009
【図８】
2009093211.tif 000010
【図９】
2009093211.tif 000011
【図１０】
2009093211.tif 000012
【図１１】
2009093211.tif 000013
【図１２】
2009093211.tif 000014
【図１３】
2009093211.tif 000015
【図１４】
2009093211.tif 000016